(57)【特許請求の範囲】
【請求項１】
コンピュータシステムにより複数の問合せ先情報を順位付けしてなる問合せ先情報リストを提供する問合せ先情報リスト提供方法であって、
前記問合せ先情報リストへの自己の問合せ先情報の掲載を希望する複数のリスト被掲載者の夫々から問合せ先情報を受け付け、当該リスト被掲載者に付したＩＤと前記問合せ先情報とを関連付けて問合せ先情報管理データベースに登録する問合せ先情報登録ステップと、
前記リスト被掲載者から前記問合せ先情報の前記問合せ先情報リストにおける掲載順位の入札を受け付け、当該リスト被掲載者の前記ＩＤと前記受け付けた入札内容とを関連付けて入札状況管理データベースに登録する入札状況登録ステップと、
前記入札内容に応じて前記リスト被掲載者毎に前記掲載順位を決定し、前記リスト被掲載者の前記ＩＤと前記決定した掲載順位とを関連付けるようにして掲載順位管理データベースに登録する掲載順位登録ステップと、
潜在的問合せ希望者であるサイト訪問者の端末からのＷｅｂページデータ取得要求を受けて、前記掲載順位管理データベース及び前記問合せ先情報管理データベースを参照し、前記決定した掲載順位に基づいた前記問合せ先情報リストを構成するリストデータを抽出するリストデータ抽出ステップと、
前記抽出したリストデータにて構成される前記問合せ先情報リストを含むＷｅｂページのデータを生成し、該生成したＷｅｂページのデータを前記サイト訪問者の端末に送出する送出ステップと
を備えることを特徴とする問合せ先情報リスト提供方法において、
前記問合せ先情報は、前記リスト被掲載者に対する複数種の問合せ方法に関する情報を含むものであり、
前記入札状況管理データベースには、前記リスト被掲載者の前記ＩＤと当該リスト被掲載者の前記問合せ方法のそれぞれに対する前記入札内容とが関連付けて登録されており、
前記掲載順位登録ステップは、前記サイト訪問者による前記問合せ先情報の利用回数を前記問合せ方法毎にカウントするカウントステップと、前記カウントの結果に基づいて得られる前記問合せ方法毎の重みを前記入札状況管理データベースから取得した各リスト被掲載者による前記問合せ方法毎の前記入札内容に対して掛け合わせ、前記リスト被掲載者毎に加重合計を算出する加重合計算出ステップと、前記リスト被掲載者毎に算出された前記加重合計に基づいて前記掲載順位を決定する掲載順位決定ステップとを含んでいる
ことを特徴とする問合せ先情報リスト提供方法。
【請求項２】
請求項１記載の問合せ先情報リスト提供方法において、
前記リスト被掲載者からデポジット金額の指定を受け付け、前記リスト被掲載者の前記ＩＤと該リスト被掲載者の指定した前記デポジット金額とを関連付けて入金管理データベースに登録するデポジット金額登録ステップと、
前記サイト訪問者による前記問合せ先情報の利用を検出し、該検出した利用に応じて前記デポジット金額を減額するように前記入金管理データベースの内容を更新するデポジット金額更新ステップと、
前記リストデータ抽出ステップの実行前であって前記掲載順位登録ステップの実行後に前記入金管理データベースを参照し、前記デポジット金額が所定金額を下回っている前記リスト被掲載者がいた場合には当該リスト被掲載者の前記問合せ先情報に与えられていた前記掲載順位を取り消すように前記掲載順位管理データベースの内容を更新する掲載順位更新ステップと
を更に備えており、
前記リストデータ抽出ステップは、前記掲載順位更新ステップが実行されたことにより前記掲載順位の取り消された前記問合せ先情報を含まない問合せ先情報リストを構成するリストデータを抽出する
ことを特徴とする問合せ先情報リスト提供方法。
【請求項３】
請求項１又は請求項２記載の問合せ先情報リスト提供方法において、
前記問合せ方法は、前記リスト被掲載者に対するメール送信、前記リスト被掲載者に対する電話連絡及び前記リスト被掲載者のＷｅｂサイト訪問であり、
前記問合せ先情報は、前記リスト被掲載者のメールアドレス、前記リスト被掲載者の電話番号及び前記リスト被掲載者のＷｅｂサイトのＵＲＬである
ことを特徴とする問合せ先情報リスト提供方法。
【請求項４】
複数のリスト被掲載者の問合せ先情報を順位付けしてなる問合せ先情報リストを提供する問合せ先情報リスト提供システムであって、
各リスト被掲載者に付したＩＤと該リスト被掲載者の前記問合せ先情報とを関連付けて格納する問合せ先情報管理データベースと、
各リスト被掲載者の前記ＩＤと当該リスト被掲載者による入札内容とを関連付けて格納する入札状況管理データベースと、
各リスト被掲載者の前記ＩＤと当該リスト被掲載者の前記問合せ先情報の前記問合せ先情報リストにおける掲載順位とを関連付けて格納する掲載順位管理データベースと、
Ｗｅｂサーバと
を備えており、
前記Ｗｅｂサーバは、
前記問合せ先情報リストへの自己の問合せ先情報の掲載を希望する複数のリスト被掲載者の夫々から掲載を希望する前記問合せ先情報を受け付け、当該問合せ先情報を前記問合せ先情報管理データベースに登録する問合せ先情報登録ステップと、
前記リスト被掲載者から前記問合せ先情報の前記問合せ先情報リストにおける掲載順位の入札を受け付け、当該受け付けた入札内容を前記入札状況管理データベースに登録する入札状況登録ステップと、
前記入札内容に応じて前記掲載順位を決定し、前記決定した掲載順位を前記掲載順位管理データベースに登録する掲載順位登録ステップと、
潜在的問合せ希望者であるサイト訪問者の端末からのＷｅｂページデータ取得要求を受けて、前記掲載順位管理データベース及び前記問合せ先情報管理データベースを参照し、前記決定した掲載順位に基づいた前記問合せ先情報リストを構成するリストデータを抽出するリストデータ抽出ステップと、
前記抽出したリストデータにて構成される前記問合せ先情報リストを含むＷｅｂページのデータを生成し、該生成したＷｅｂページのデータを前記サイト訪問者の端末に送出する送出ステップと
を実行するものであることを特徴とする問合せ先情報リスト提供システムにおいて、
前記問合せ先情報は、前記リスト被掲載者に対する複数種の問合せ方法に関する情報を含むものであり、
前記入札状況管理データベースには、前記リスト被掲載者の前記ＩＤと当該リスト被掲載者の前記問合せ方法のそれぞれに対する前記入札内容とが関連付けて登録されており、
前記掲載順位登録ステップは、前記サイト訪問者による前記問合せ先情報の利用回数を前記問合せ方法毎にカウントするカウントステップと、前記カウントの結果に基づいて得られる前記問合せ方法毎の重みを前記入札状況管理データベースから取得した各リスト被掲載者による前記問合せ方法毎の前記入札内容に対して掛け合わせ、前記リスト被掲載者毎に加重合計を算出する加重合計算出ステップと、前記リスト被掲載者毎に算出された前記加重合計に基づいて前記掲載順位を決定する掲載順位決定ステップとを含んでいる
ことを特徴とする問合せ先情報リスト提供システム。
【請求項５】
請求項４記載の問合せ先情報リスト提供システムにおいて、
前記リスト被掲載者の前記ＩＤと該リスト被掲載者により指定されたデポジット金額とを関連付けて格納する入金管理データベースを更に備えており、
前記Ｗｅｂサーバは、
前記リスト被掲載者からデポジット金額の指定を受け付け、前記受け付けたデポジット金額を前記入金管理データベースに登録するデポジット金額登録ステップと、
前記サイト訪問者による前記問合せ先情報の利用を検出し、該検出した利用に応じて前記デポジット金額を減額するように前記入金管理データベースの内容を更新するデポジット金額更新ステップと、
前記リストデータ抽出ステップの実行前であって前記掲載順位登録ステップの実行後に前記入金管理データベースを参照し、前記デポジット金額が所定金額を下回っている前記リスト被掲載者が存在していた場合には当該リスト被掲載者の前記問合せ先情報に与えられていた前記掲載順位を取り消すように前記掲載順位管理データベースの内容を更新する掲載順位更新ステップと
を更に実行するものであり、
前記リストデータ抽出ステップは、前記掲載順位更新ステップが実行されたことにより前記掲載順位の取り消された前記問合せ先情報を含まない問合せ先情報リストを構成するリストデータを抽出する
ことを特徴とする問合せ先情報リスト提供システム。
【請求項６】
請求項４又は請求項５記載の問合せ先情報リスト提供システムにおいて、
前記問合せ方法は、前記リスト被掲載者に対するメール送信、前記リスト被掲載者に対する電話連絡及び前記リスト被掲載者のＷｅｂサイト訪問であり、
前記問合せ先情報は、前記リスト被掲載者のメールアドレス、前記リスト被掲載者の電話番号及び前記リスト被掲載者のＷｅｂサイトのＵＲＬである
ことを特徴とする問合せ先情報リスト提供システム。
【請求項７】
請求項４乃至請求項６のいずれかに記載の問合せ先情報リスト提供システムにおいて、
前記Ｗｅｂサーバの実行していた前記加重合計算出ステップと前記掲載順位決定ステップを前記Ｗｅｂサーバに代わりバックグラウンドで実行する処理手段を更に備えており、
前記Ｗｅｂサーバは、前記掲載順位登録ステップとして、前記カウントステップを行う一方で、前記リストデータ抽出ステップとして、前記処理手段の処理結果を参照すると共に前記問合せ先情報管理データベースを参照して前記リストデータを抽出する
ことを特徴とする問合せ先情報リスト提供システム。
【請求項８】
請求項７記載の問合せ先情報リスト提供システムにおいて、
前記処理手段は、所定期間毎に又は前記カウントが所定回数行われる毎に、前記加重合計算出ステップと前記掲載順位決定ステップを実行するものである
ことを特徴とする問合せ先情報リスト提供システム。
【発明の詳細な説明】
【技術分野】
【０００１】
本発明は、コンピュータシステムにより複数の問合せ先情報を順位付けしてなる問合せ先情報リストを提供する問合せ先情報リスト提供方法及びそれを具現化した問合せ先情報リスト提供システムに関する。
【背景技術】
【０００２】
一般に、特定のサービスを受けることを希望しているユーザは、例えば、インターネット上の検索サービスを利用して特定のサービスに関連した用語をキーとした検索を行い、検索結果にリストアップされているリンク先へ移動して、サービス内容の確認やサービス提供者への連絡手段などの取得を行う。
【０００３】
これに対して、例えば、非特許文献１のＷｅｂサイトのように、特定のサービスを提供できるサービス提供者のリストをそのサービス提供者への連絡手段等と共に提示しているサイトがある。この非特許文献１のＷｅｂサイトにはＳＥＯが施されているため、上述したように、ユーザが特定のサービスに関連した用語をキーとしてインターネット上の検索サービスなどを利用した場合には、その検索結果の上位に非特許文献１のＷｅｂサイトを含ませることができる。そのため、非特許文献１のＷｅｂサイトでは、特定のサービスを受けることを希望しているユーザを効率よく集客することができる。
【０００４】
【非特許文献１】美容整形ｃｈａｎｎｅｌ（http://www.beautychannel.jp/）
【発明の開示】
【発明が解決しようとする課題】
【０００５】
非特許文献１のＷｅｂサイトを訪れたユーザはサービスを受けることを希望して自ら非特許文献１のＷｅｂサイトに辿りついたユーザであるため、かかるユーザからの問合せはサービスの提供に直結する可能性が高く、サービス提供者側からすると、かかるユーザからの問合せは対価を支払ってでも得たいものである。しかしながら、現状では、かかる問合せを受ける権利を購入しうるようなシステムはない。
【０００６】
そこで、本発明は、サービスを受ける見込みの高いユーザからの問合せを受ける権利を購入するに等しい効果を得ることのできる新たなシステムを提供することを目的とする。
【課題を解決するための手段】
【０００７】
本発明によれば、第１の問合せ先情報リスト提供方法として、コンピュータシステムにより複数の問合せ先情報を順位付けしてなる問合せ先情報リストを提供する問合せ先情報リスト提供方法であって、
前記問合せ先情報リストへの自己の問合せ先情報の掲載を希望する複数のリスト被掲載者の夫々から問合せ先情報を受け付け、当該リスト被掲載者に付したＩＤと前記問合せ先情報とを関連付けて問合せ先情報管理データベースに登録する問合せ先情報登録ステップと、
前記リスト被掲載者から前記問合せ先情報の前記問合せ先情報リストにおける掲載順位の入札を受け付け、当該リスト被掲載者の前記ＩＤと前記受け付けた入札内容とを関連付けて入札状況管理データベースに登録する入札状況登録ステップと、
前記入札内容に応じて前記リスト被掲載者毎に前記掲載順位を決定し、前記リスト被掲載者の前記ＩＤと前記決定した掲載順位とを関連付けるようにして掲載順位管理データベースに登録する掲載順位登録ステップと、
潜在的問合せ希望者であるサイト訪問者の端末からのＷｅｂページデータ取得要求を受けて、前記掲載順位管理データベース及び前記問合せ先情報管理データベースを参照し、前記決定した掲載順位に基づいた前記問合せ先情報リストを構成するリストデータを抽出するリストデータ抽出ステップと、
前記抽出したリストデータにて構成される前記問合せ先情報リストを含むＷｅｂページのデータを生成し、該生成したＷｅｂページのデータを前記サイト訪問者の端末に送出する送出ステップと
を備えることを特徴とする問合せ先情報リスト提供方法が得られる。
【０００８】
本発明によれば、第２の問合せ先情報リスト提供方法として、第１の問合せ先情報リスト提供方法において、
前記リスト被掲載者からデポジット金額の指定を受け付け、前記リスト被掲載者の前記ＩＤと該リスト被掲載者の指定した前記デポジット金額とを関連付けて入金管理データベースに登録するデポジット金額登録ステップと、
前記サイト訪問者による前記問合せ先情報の利用を検出し、該検出した利用に応じて前記デポジット金額を減額するように前記入金管理データベースの内容を更新するデポジット金額更新ステップと、
前記リストデータ抽出ステップの実行前であって前記掲載順位登録ステップの実行後に前記入金管理データベースを参照し、前記デポジット金額が所定金額を下回っている前記リスト被掲載者がいた場合には当該リスト被掲載者の前記問合せ先情報に与えられていた前記掲載順位を取り消すように前記掲載順位管理データベースの内容を更新する掲載順位更新ステップと
を更に備えており、
前記リストデータ抽出ステップは、前記掲載順位更新ステップが実行されたことにより前記掲載順位の取り消された前記問合せ先情報を含まない問合せ先情報リストを構成するリストデータを抽出する
ことを特徴とする問合せ先情報リスト提供方法が得られる。
【０００９】
本発明によれば、第３の問合せ先情報リスト提供方法として、第１又は第２の問合せ先情報リスト提供方法において、
前記問合せ先情報は、前記リスト被掲載者に対する複数種の問合せ方法に関する情報を含むものであり、
前記入札状況管理データベースには、前記リスト被掲載者の前記ＩＤと当該リスト被掲載者の前記問合せ方法のそれぞれに対する前記入札内容とが関連付けて登録されており、
前記掲載順位登録ステップは、前記サイト訪問者による前記問合せ先情報の利用回数を前記問合せ方法毎にカウントするカウントステップと、前記カウントの結果に基づいて得られる前記問合せ方法毎の重みを前記入札状況管理データベースから取得した各リスト被掲載者による前記問合せ方法毎の前記入札内容に対して掛け合わせ、前記リスト被掲載者毎に加重合計を算出する加重合計算出ステップと、前記リスト被掲載者毎に算出された前記加重合計に基づいて前記掲載順位を決定する掲載順位決定ステップとを含んでいる
ことを特徴とする問合せ先情報リスト提供方法が得られる。
【００１０】
本発明によれば、第４の問合せ先情報リスト提供方法として、第３の問合せ先情報リスト提供方法において、
前記問合せ方法は、前記リスト被掲載者に対するメール送信、前記リスト被掲載者に対する電話連絡及び前記リスト被掲載者のＷｅｂサイト訪問であり、
前記問合せ先情報は、前記リスト被掲載者のメールアドレス、前記リスト被掲載者の電話番号及び前記リスト被掲載者のＷｅｂサイトのＵＲＬである
ことを特徴とする問合せ先情報リスト提供方法が得られる。
【００１１】
本発明によれば、第１の問合せ先情報リスト提供システムとして、
複数のリスト被掲載者の問合せ先情報を順位付けしてなる問合せ先情報リストを提供する問合せ先情報リスト提供システムであって、
各リスト被掲載者に付したＩＤと該リスト被掲載者の前記問合せ先情報とを関連付けて格納する問合せ先情報管理データベースと、
各リスト被掲載者の前記ＩＤと当該リスト被掲載者による入札内容とを関連付けて格納する入札状況管理データベースと、
各リスト被掲載者の前記ＩＤと当該リスト被掲載者の前記問合せ先情報の前記問合せ先情報リストにおける掲載順位とを関連付けて格納する掲載順位管理データベースと、
Ｗｅｂサーバと
を備えており、
前記Ｗｅｂサーバは、
前記問合せ先情報リストへの自己の問合せ先情報の掲載を希望する複数のリスト被掲載者の夫々から掲載を希望する前記問合せ先情報を受け付け、当該問合せ先情報を前記問合せ先情報管理データベースに登録する問合せ先情報登録ステップと、
前記リスト被掲載者から前記問合せ先情報の前記問合せ先情報リストにおける掲載順位の入札を受け付け、当該受け付けた入札内容を前記入札状況管理データベースに登録する入札状況登録ステップと、
前記入札内容に応じて前記掲載順位を決定し、前記決定した掲載順位を前記掲載順位管理データベースに登録する掲載順位登録ステップと、
潜在的問合せ希望者であるサイト訪問者の端末からのＷｅｂページデータ取得要求を受けて、前記掲載順位管理データベース及び前記問合せ先情報管理データベースを参照し、前記決定した掲載順位に基づいた前記問合せ先情報リストを構成するリストデータを抽出するリストデータ抽出ステップと、
前記抽出したリストデータにて構成される前記問合せ先情報リストを含むＷｅｂページのデータを生成し、該生成したＷｅｂページのデータを前記サイト訪問者の端末に送出する送出ステップと
を実行するものであることを特徴とする問合せ先情報リスト提供システムが得られる。
【００１２】
本発明によれば、第２の問合せ先情報リスト提供システムとして、第１の問合せ先情報リスト提供システムにおいて、
前記リスト被掲載者の前記ＩＤと該リスト被掲載者により指定されたデポジット金額とを関連付けて格納する入金管理データベースを更に備えており、
前記Ｗｅｂサーバは、
前記リスト被掲載者からデポジット金額の指定を受け付け、前記受け付けたデポジット金額を前記入金管理データベースに登録するデポジット金額登録ステップと、
前記サイト訪問者による前記問合せ先情報の利用を検出し、該検出した利用に応じて前記デポジット金額を減額するように前記入金管理データベースの内容を更新するデポジット金額更新ステップと、
前記リストデータ抽出ステップの実行前であって前記掲載順位登録ステップの実行後に前記入金管理データベースを参照し、前記デポジット金額が所定金額を下回っている前記リスト被掲載者が存在していた場合には当該リスト被掲載者の前記問合せ先情報に与えられていた前記掲載順位を取り消すように前記掲載順位管理データベースの内容を更新する掲載順位更新ステップと
を更に実行するものであり、
前記リストデータ抽出ステップは、前記掲載順位更新ステップが実行されたことにより前記掲載順位の取り消された前記問合せ先情報を含まない問合せ先情報リストを構成するリストデータを抽出する
ことを特徴とする問合せ先情報リスト提供システムが得られる。
【００１３】
本発明によれば、第３の問合せ先情報リスト提供システムとして、第１又は第２の問合せ先情報リスト提供システムにおいて、
前記問合せ先情報は、前記リスト被掲載者に対する複数種の問合せ方法に関する情報を含むものであり、
前記入札状況管理データベースには、前記リスト被掲載者の前記ＩＤと当該リスト被掲載者の前記問合せ方法のそれぞれに対する前記入札内容とが関連付けて登録されており、
前記掲載順位登録ステップは、前記サイト訪問者による前記問合せ先情報の利用回数を前記問合せ方法毎にカウントするカウントステップと、前記カウントの結果に基づいて得られる前記問合せ方法毎の重みを前記入札状況管理データベースから取得した各リスト被掲載者による前記問合せ方法毎の前記入札内容に対して掛け合わせ、前記リスト被掲載者毎に加重合計を算出する加重合計算出ステップと、前記リスト被掲載者毎に算出された前記加重合計に基づいて前記掲載順位を決定する掲載順位決定ステップとを含んでいる
ことを特徴とする問合せ先情報リスト提供システムが得られる。
【００１４】
本発明によれば、第４の問合せ先情報リスト提供システムとして、第３の問合せ先情報リスト提供システムにおいて、
前記問合せ方法は、前記リスト被掲載者に対するメール送信、前記リスト被掲載者に対する電話連絡及び前記リスト被掲載者のＷｅｂサイト訪問であり、
前記問合せ先情報は、前記リスト被掲載者のメールアドレス、前記リスト被掲載者の電話番号及び前記リスト被掲載者のＷｅｂサイトのＵＲＬである
ことを特徴とする問合せ先情報リスト提供システムが得られる。
【００１５】
本発明によれば、第５の問合せ先情報リスト提供システムとして、第３又は第４の問合せ先情報リスト提供システムにおいて、
前記Ｗｅｂサーバの実行していた前記加重合計算出ステップと前記掲載順位決定ステップを前記Ｗｅｂサーバに代わりバックグラウンドで実行する処理手段を更に備えており、
前記Ｗｅｂサーバは、前記掲載順位登録ステップとして、前記カウントステップを行う一方で、前記リストデータ抽出ステップとして、前記処理手段の処理結果を参照すると共に前記問合せ先情報管理データベースを参照して前記リストデータを抽出する
ことを特徴とする問合せ先情報リスト提供システムが得られる。
【００１６】
本発明によれば、第６の問合せ先情報リスト提供システムとして、第５の問合せ先情報リスト提供システムにおいて、
前記処理手段は、所定期間毎に又は前記カウントが所定回数行われる毎に、前記加重合計算出ステップと前記掲載順位決定ステップを実行するものである
ことを特徴とする問合せ先情報リスト提供システムが得られる。
【発明の効果】
【００１７】
本発明によれば、複数のリスト被掲載者による入札状況を入札状況管理データベースで管理し、入札状況管理データベースで管理している入札状況を問合せ先情報リストにおける掲載順位に反映させることとしているため、サービスを受ける見込みの高いユーザからの問合せを受ける権利をリスト被掲載者が購入するに等しい効果を得ることができる。
【００１８】
また、サイトによって、そのサイトを訪問したユーザの選択する問合せ方法に偏りが出る場合がある一方で、リスト被掲載者毎に所望する問合せ方法が異なることも予想されるが、この場合、問合せ方法毎の入札内容に対して問い合わせ方法毎の利用実績を考慮した重み付けを行った後に加重平均をとり、その加重平均に基づいて掲載順位を決定することとすれば、リスト被掲載者の希望とサイト固有の特性の双方を考慮した掲載順位を得ることができる。
【発明を実施するための最良の形態】
【００１９】
以下、本発明の実施の形態による問合せ先情報リスト提供方法及びそれを実装した問合せ先情報リスト提供システムについて、図面を用いて詳細に説明する。
【００２０】
（全体構成）
図１に示されるように、本発明の実施の形態による問合せ先情報リスト提供システムは、複数のリスト被掲載者Ａ〜Ｄの問合せ先情報を順位付けしてなる問合せ先情報リストを潜在的問合せ希望者であるサイト訪問者に対して提示するためのものであり、インターネット１００を通じてサイト訪問者端末１０及びリスト被掲載者Ａ〜Ｄ端末２０ａ〜２０ｄと接続可能なＷｅｂサーバ３０と、Ｗｅｂサーバ３０から利用可能な問合せ先情報管理データベース４０ａ、入金管理データベース４０ｂ、入札状況管理データベース４０ｃ及び掲載順位管理データベース４０ｄを備えている。本実施の形態においては、サイト訪問者端末１０やリスト被掲載者Ａ〜Ｄ端末２０ａ〜２０ｄに対しては特に構成的制限はない。また、問合せ先情報管理データベース４０ａ、入金管理データベース４０ｂ、入札状況管理データベース４０ｃ及び掲載順位管理データベース４０ｄは説明を明瞭なものとするため分けてあるが、実体は共通のデータベースシステムにおいて管理されるテーブルを含むファイルである。加えて、これらのうち、２以上のテーブルを必要に応じて連結し、まとめることとしてもよい。
【００２１】
（Ｗｅｂサーバの構成）
図２に示されるように、本実施の形態によるＷｅｂサーバ３０は、互いにバス接続されたＣＰＵ３１、主記憶３２、補助記憶３３及び送受信部３４を備えている。このうち主記憶３２は例えばＤＲＡＭなどで構成されており、補助記憶３３は例えばＨＤＤなどで構成されている。補助記憶３３には、Ｗｅｂサーバ３０として機能させるためのメインプログラムに加えて、後述するような処理を行うスクリプトなどが格納されている。メインプログラムなどのプログラムは、主記憶３２上に展開されＣＰＵ３１によって実行されることにより、図２に示されるコンピュータシステムを本実施の形態によるＷｅｂサーバ３０として機能させる。加えて、主記憶３２上には、ＣＰＵ３１がプログラムに従って動作している間に生成したデータやＣＰＵ３１によって利用されるデータも一時的に格納される。後述する利用実績カウンタ５０も主記憶上３２に保持されるデータの一つである。送受信部３４はＣＰＵ３１の制御によりＷｅｂサーバ３０とインターネット１００との接続を確立する。なお、図１においては、概念上の別を明確にするため、Ｗｅｂサーバ３０と各種データベース４０ａ〜４０ｄを分けて描いてあるが、各種データベース４０ａ〜４０ｄの規模とＷｅｂサーバ３０が構築されるハードウェアの処理能力等によっては、Ｗｅｂサーバ３０と同一のハードウェア上にこれらのデータベース４０ａ〜４０ｄを構築することとしても良い。
【００２２】
（問合せ先情報管理データベースの構成）
図３に示されるように、本実施の形態における問合せ先情報管理データベース４０ａは、リスト被掲載者に付したＩＤに関するフィールドと、問合せ先情報に関するフィールドとを有しており、特に本実施の形態による問合せ先情報のフィールドには、「メールアドレス」、「電話番号」及び「ＷｅｂサイトのＵＲＬ」の３つのサブフィールドが設定されている。かかるデータ構造により、問合せ先情報管理データベース４０ａは、リスト被掲載者に付したＩＤとリスト被掲載者の問合せ先情報とを関連付けて格納する。例えば、図示された例においては、リスト被掲載者ＡのＩＤ「Ａ」とリスト被掲載者Ａのメールアドレス「aaa@lll.jp」、電話番号「03-aaaa-aaaa」及びＷｅｂサイトのＵＲＬ「http://www.lll.jp」が同一レコードに格納されており、互いに関連付けられている。
【００２３】
（問合せ先情報管理データベースへの登録処理）
図３に示されるような問合せ先情報管理データベース４０ａに対する問合せ先情報の登録処理は、概略、図４に示されるようにして行われる。具体的には、例えば、リスト被掲載者Ｂが自己の問合せ先情報を問合せ情報先リストへ掲載することを希望してＷｅｂサーバ３０にアクセスしたとすると、Ｗｅｂサーバ３０は、リスト被掲載者Ｂ端末２０ｂに対して、問合せ先情報入力用のフォームを含むページのデータを送信し、リスト被掲載者Ｂに対して「メールアドレス」、「電話番号」及び「ＷｅｂサイトのＵＲＬ」の入力を促す（ステップＳ４０１）。リスト被掲載者Ｂが「メールアドレス（bbb@mmm.co.jp）」、「電話番号（045-bbbb-bbbb）」及び「ＷｅｂサイトのＵＲＬ（http://www.mmm.co.jp）」を送信してくると、Ｗｅｂサーバ３０は、それら問合せ先情報を受け付け（ステップＳ４０２）、リスト被掲載者ＢのＩＤ「Ｂ」と「メールアドレス（bbb@mmm.co.jp）」、「電話番号（045-bbbb-bbbb）」及び「ＷｅｂサイトのＵＲＬ（http://www.mmm.co.jp）」とを関連付けて、問合せ先情報管理データベース４０ａに登録する（ステップＳ４０３）。
【００２４】
（入金管理データベースの構成）
図５に示されるように、本実施の形態における入金管理データベース４０ｂは、リスト被掲載者に付したＩＤに関するフィールドと、デポジット金額を格納するフィールドと、デポジット金額が下限値（図示された例では２，０００円）を下回っている場合に不足フラグを立てるためのフィールドとを有している。
かかるデータ構造により、入金管理データベース４０ｂは、リスト被掲載者に付したＩＤとリスト被掲載者のデポジット金額（及び、もし立っている場合には不足フラグ）とを関連付けて格納する。なお、図示された例においては、リスト被掲載者Ａ〜Ｃのデポジット金額はデポジット金額の下限値を下回っていないため不足フラグは立っていないが、リスト被掲載者Ｄのデポジット金額は１，０００円であり下限値を下回っているため、不足フラグが立っている。
【００２５】
（入金管理データベースへの登録処理）
図５に示されるような入金管理データベース４０ｂに対するデポジット金額の登録処理は、概略、図６に示されるようにして行われる。具体的には、例えば、リスト被掲載者Ｂがデポジットの金額を指定しようとしてＷｅｂサーバ３０にアクセスしたとすると、Ｗｅｂサーバ３０は、リスト被掲載者Ｂ端末２０ｂに対して、デポジット金額の指定用のフォームを含むページのデータを送信し、リスト被掲載者Ｂに対してデポジット金額の指定を促す（ステップＳ６０１）。リスト被掲載者Ｂがデポジット金額として５０，０００円を指定してきたとすると、Ｗｅｂサーバ３０は、その指定された金額「５０，０００円」の入金の確認を行うことでデポジット金額の指定を受け付け（ステップＳ６０２）、受け付けたデポジット金額「５０，０００円」をリスト被掲載者ＢのＩＤ「Ｂ」と関連付けて、入金管理データベース４０ｂに登録する（ステップＳ６０３）。
【００２６】
（入札状況管理データベースの構成）
図７に示されるように、本実施の形態における入札状況管理データベース４０ｃは、リスト被掲載者に付したＩＤに関するフィールドと、入札状況に関するフィールドを有しており、特に本実施の形態による入札状況に関するフィールドには、「メール」、「電話」及び「Ｗｅｂサイト」の３つのサブフィールドが設定されている。かかるデータ構造により、入札状況管理データベース４０ｃは、リスト被掲載者に付したＩＤとリスト被掲載者の問合せ方法毎の入札状況とを関連付けて格納する。例えば、図示された例においては、リスト被掲載者ＡのＩＤ「Ａ」と、リスト被掲載者Ａの問合せ方法「メール」に対する入札額「１，０００円」と、リスト被掲載者Ａの問合せ方法「電話」に対する入札額「５００円」と、リスト被掲載者Ａの問合せ方法「Ｗｅｂサイト」に対する入札額「７００円」とが同一レコードに格納されており、互いに関連付けられている。本実施の形態においては、このようにリスト被掲載者は、問合せ方法毎に入札額を異ならせることができることから、どのような問合せ方法によって問合せを受けたいかを意思表示することができる。
【００２７】
（入札状況管理データベースへの登録処理）
図７に示されるような入札状況管理データベース４０ｃに対する入札状況（問合せ方法毎の入札額）の登録処理は、概略、図８に示されるようにして行われる。具体的には、例えば、リスト被掲載者Ｂが各問合せ方法に対する入札額を指定するためにＷｅｂサーバ３０にアクセスしたとすると、Ｗｅｂサーバ３０は、リスト被掲載者Ｂ端末２０ｂに対して、入札用のフォームを含むページのデータを送信し、リスト被掲載者Ｂに対して問合せ方法「メール」、問合せ方法「電話」及び問合せ方法「Ｗｅｂサイト」の夫々に対する入札額の入力を促す（ステップＳ８０１）。リスト被掲載者Ｂが問合せ方法「メール」、問合せ方法「電話」及び問合せ方法「Ｗｅｂサイト」の夫々に対する入札額として「３００円」、「２，０００円」及び「２００円」を送信してくると、Ｗｅｂサーバ３０は、それらの入札額による入札を受け付け（ステップＳ８０２）、リスト被掲載者ＢのＩＤ「Ｂ」と
問合せ方法「メール」に対する入札額「３００円」、問合せ方法「電話」に対する入札額「２，０００円」及び問合せ方法「Ｗｅｂサイト」に対する入札額「２００円」とを関連付けて、入札状況管理データベース４０ｃに登録する（ステップＳ８０３）。
【００２８】
上述した問合せ先情報管理データベース４０ａへの登録処理、入金管理データベース４０ｂへの登録処理及び入札状況管理データベース４０ｃへの登録処理は、適宜、組み合わせて同時期に行うこととしても良い。本実施の形態においては、登録されている入札内容に応じて各リスト被掲載者の問合せ先情報の問合せ先情報リストにおける掲載順位が決定され、その決定された掲載順位と各リスト被掲載者のＩＤとが互いに関連付けられた状態で掲載順位管理データベース４０ｄに登録される。本実施の形態における掲載順位の具体的な決定方法や掲載順位管理データベース４０ｄについては、後に詳述する。
【００２９】
（Ｗｅｂページデータ送信処理）
潜在的な問合せ希望者がサイトを訪問してきた場合、即ち、サイト訪問者端末１０からＷｅｂサーバ３０に対してＷｅｂページのデータ取得要求が送られてきた場合、Ｗｅｂサーバ３０は、図９に示されるように、その要求を受け付け（ステップＳ９０１）、問合せ先情報管理データベース４０ａ及び掲載順位管理データベース４０ｄを参照し、決定した掲載順位に基づいた問合せ先情報リストを構成するリストデータを抽出する（ステップＳ９０２）。本実施の形態におけるリストデータは、例えば、図１０に示されるように、リスト被掲載者Ｂ，Ｃ，Ａの問合せ方法毎の問合せ情報（「メール」に対する「メールアドレス」、「電話」に対する「電話番号」及び「Ｗｅｂ」に対する「ＷｅｂサイトのＵＲＬ」）をリスト被掲載者Ｂ，Ｃ，ＡのＩＤ「Ｂ」、「Ｃ」及び「Ａ」とそれぞれ関連付けた状態で保持するテーブルである。なお、図示されたテーブルには理解を容易にすべく「掲載順位」の欄も設けてあるが、リスト被掲載者Ｂ，Ｃ，Ａの問合せ情報が掲載順位に従ってソートされた状態で格納されている場合などには、掲載順位の欄は不要である。
【００３０】
図９を再び参照して、Ｗｅｂサーバ３０は、リストデータを抽出すると、抽出したリストデータにて構成される問合せ先情報リストを含むＷｅｂページのデータを生成し（ステップＳ９０３）、生成したＷｅｂページのデータをサイト訪問者端末１０に送出する（ステップＳ９０４）。ステップＳ９０３において生成されるＷｅｂページは、例えば、図１１に示されるような問合せ先情報リストを含んでいる。図示された問合せ先情報リストは、入札内容を反映した掲載順位に基づいて動的に構成されたものであるので、各リスト被掲載者は掲載順位を上げたければ入札額の変更を行えばよい。
【００３１】
（掲載順位決定処理）
入札額の大小のみによって掲載順位を決定することとしても良いが、本実施の形態においては、図１１に示されるように、問合せ先情報リストに対して、リスト被掲載者毎に問合せ方法に応じたボタン（即ち、「メール」ボタン６１、「電話」ボタン６２及び「Ｗｅｂ」ボタン６３）を設け、それぞれのボタンが押下されて問合せ先情報が利用された場合に、その利用実績を掲載順位決定処理にフィードバックすることで、リスト被掲載者のニーズとＷｅｂサーバ３０により提供されているサイトの特性の双方を考慮した順位付けを行っている。具体的には、図１１に示されるような問合せ先情報リストを提示したＷｅｂサイトがあった場合、そこに掲げられているサービスの業種やＷｅｂサイトの外観等に起因して、各問合せ方法の利用実績には偏りが生じる可能性がある。一方で、問合せの受付を希望しているリスト被掲載者側にも、例えば「メール」での問い合わせの受け付けを強く希望する一方で「電話」での問い合わせの受け付けはさほど希望していないなど、リスト被掲載者によって希望する問合せ方法にバラつきがある可能性がある。このようなサイトの特質とリスト被掲載者の思惑との双方を考慮し、リスト被掲載者の事情に適応した効果的な問合せ先情報リスト掲載を可能とするため、本実施の形態においては、問合せ方法毎の入札額に対して各問合せ方法の利用実績を考慮した重み付けを行うといった処理を行い、それをリスト被掲載者毎に加重合計して、加重合計の大小によって掲載順位を決定することとしている。
【００３２】
以下、かかる本実施の形態による掲載順位決定の処理について、図面を用いて更に詳細に説明する。
【００３３】
本実施の形態による問合せ先情報リストにおいて「メール」ボタン６１（図１１参照）には、問合せフォーム表示用のファイルへのリンクが張られている。従って、サイト訪問者が問合せ先情報リストにおいて「メール」ボタン６１をクリックすると、Ｗｅｂサーバ３０は、図１２に示されるように、問合せフォーム表示用のファイルの取得要求という形で「メール」ボタン６１のクリックを検出し（ステップＳ１２０１）、対応する問合せフォーム表示用のファイルをサイト訪問者端末１０に送信する（ステップＳ１２０２）。ここで、本実施の形態においてサイト訪問者端末１０に送信される問合せフォームには、通常の入力フォームと同様に、問合せフォームに入力した内容をＷｅｂサーバ３０側に送信する送信ボタンが設けられている。サイト訪問者がその送信ボタンをクリックすると、Ｗｅｂサーバ３０は入力された問合せ内容を対応するリスト被掲載者のメールアドレスに送信し（ステップＳ１２０３）、利用実績カウンタ５０におけるメールアドレスによる問合せ実績をインクリメント（＋＋１）する（ステップＳ１２０４）。利用実績カウンタ５０は、例えば、図１３に示されるようなシンプルなものでよく、前述したように、Ｗｅｂサーバ３０の一時記憶領域に変数の形で保持されることとしても良い。
【００３４】
更に、Ｗｅｂサーバ３０は、利用実績カウンタ５０の「メール」に関する値をインクリメントした後、入札状況管理データベース４０ｃ及び入金管理データベース４０ｂを参照して、そのリスト被掲載者の「メール」に関する入札額をそのリスト被掲載者のデポジット金額から減算し、減算後の金額を新たなデポジット金額として入金管理データベース４０ｂに登録しなおす（ステップＳ１２０５）。この際、Ｗｅｂサーバ３０は、更新後のデポジット金額が下限値を下回ったか否かのチェックを行い（ステップＳ１２０６）、仮に、デポジット金額が下限値を下回っていた場合には、入金管理データベース４０ｂにおける当該リスト被掲載者のレコードに不足フラグを立て（ステップＳ１２０７）、そのリスト被掲載者にデポジット金額の再指定を促すべく、デポジット金額不足の通知を行う（ステップＳ１２０８）。
【００３５】
本実施の形態による問合せ先情報リストにおいて「電話」ボタン６２（図１１参照）や「Ｗｅｂ」ボタン６３が押下された際にも同様な処理を行う。
【００３６】
詳しくは、本実施の形態による問合せ先情報リストは、「電話」ボタン６２がクリックされた際に、リスト被掲載者のＩＤと「電話」ボタンであることを示すパラメータとがＷｅｂサーバ３０に渡るように構成されている。従って、サイト訪問者が問合せ先情報リストにおいて「電話」ボタン６２をクリックすると、Ｗｅｂサーバ３０は、図１４に示されるように、そのクリックイベントを検出し（ステップＳ１４０１）、リスト被掲載者のＩＤに対応する電話番号を含んだファイルを特定して、電話番号表示用ファイルとしてサイト訪問者端末１０へ送信する（ステップＳ１４０２）。その一方で、利用実績カウンタ５０における「電話」による問合せ実績をインクリメント（＋＋１）する（ステップＳ１４０３）。
【００３７】
更に、Ｗｅｂサーバ３０は、利用実績カウンタ５０の「電話」に関する値をインクリメントした後、入札状況管理データベース４０ｃ及び入金管理データベース４０ｂを参照して、そのリスト被掲載者の「電話」に関する入札額をそのリスト被掲載者のデポジット金額から減算し、減算後の金額を新たなデポジット金額として入金管理データベース４０ｂに登録しなおす（ステップＳ１４０４）。この際、Ｗｅｂサーバ３０は、更新後のデポジット金額が下限値を下回ったか否かのチェックを行い（ステップＳ１４０５）、仮に、デポジット金額が下限値を下回っていた場合には、入金管理データベース４０ｂにおける当該リスト被掲載者のレコードに不足フラグを立て（ステップＳ１４０６）、そのリスト被掲載者にデポジット金額の再指定を促すべく、デポジット金額不足の通知を行う（ステップＳ１４０７）。
【００３８】
一方、本実施の形態においては、「Ｗｅｂ」ボタン６３がクリックされた際に、リスト被掲載者のＩＤと「Ｗｅｂ」ボタン６３であることを示すパラメータとがＷｅｂサーバ３０に渡るように問合せ先情報リストが構成されている。従って、サイト訪問者が問合せ先情報リストにおいて「Ｗｅｂ」ボタン６３をクリックすると、Ｗｅｂサーバ３０は、図１５に示されるように、そのクリックイベントを検出し（ステップＳ１５０１）、リスト被掲載者のＩＤに対応するＷｅｂサイトのＵＲＬを特定して、その特定したＵＲＬをサイト訪問者端末１０へ通知する（ステップＳ１５０２）。その一方で、利用実績カウンタ５０における「Ｗｅｂ」による問合せ実績をインクリメント（＋＋１）する（ステップＳ１５０３）。
【００３９】
更に、Ｗｅｂサーバ３０は、利用実績カウンタ５０の「Ｗｅｂ」に関する値をインクリメントした後、入札状況管理データベース４０ｃ及び入金管理データベース４０ｂを参照して、そのリスト被掲載者の「Ｗｅｂ」に関する入札額をそのリスト被掲載者のデポジット金額から減算し、減算後の金額を新たなデポジット金額として入金管理データベース４０ｂに登録しなおす（ステップＳ１５０４）。この際、Ｗｅｂサーバ３０は、更新後のデポジット金額が下限値を下回ったか否かのチェックを行い（ステップＳ１５０５）、仮に、デポジット金額が下限値を下回っていた場合には、入金管理データベース４０ｂにおける当該リスト被掲載者のレコードに不足フラグを立て（ステップＳ１５０６）、そのリスト被掲載者にデポジット金額の再指定を促すべく、デポジット金額不足の通知を行う（ステップＳ１５０７）。
【００４０】
図１２乃至図１５を用いて説明したように、「メール」ボタン６１、「電話」ボタン６２又は「Ｗｅｂ」ボタン６３が押下されると、それに応じた処理が行われ、利用実績カウンタ５０のカウンタ値に変動が生じる。この際、本実施の形態におけるＷｅｂサーバ３０は、図１６に示されるように、夫々の問合せ方法に関する変動後のカウンタ値に基づいて算出された重みをもって各リスト被掲載者の入札額について加重合計を算出する（ステップＳ１６０１）。例えば、例を簡単にするため、変動後のカウンタ値が前述の図１３に示されるようなものであったとする。この場合、問合せ方法「メール」の重みは３０％、問合せ方法「電話」の重みは６０％、問合せ方法「Ｗｅｂ」の重みは１０％である。一方で各リスト被掲載者の問合せ方法毎の入札額が図７に示されるようなものであったとすると、リスト被掲載者Ａについての加重合計は、１，０００円ｘ３０％＋５００円ｘ６０％＋７００円ｘ１０％＝６７０円となる。同様にして、リスト被掲載者Ｂについての加重合計を計算すると１，３１０円となり、リスト被掲載者Ｃについての加重合計を計算すると８３０円となり、リスト被掲載者Ｄについての加重合計を計算すると１，０８０円となる。即ち、ステップＳ１６０１の処理により、図１７上段に示されるテーブル４０ｄ１が得られる。
【００４１】
このようにして各リスト被掲載者に関する加重合計算出処理を行ったならば、次に、Ｗｅｂサーバ３０は、加重合計によるソートを行って、掲載順位の決定を行う（ステップＳ１６０２：図１６）。その結果、図１７中段に示されるテーブル４０ｄ２が得られることとなる。本実施の形態においては、このようにして得られたテーブル４０ｄ２を掲載順位管理データベース４０ｄに登録する。
【００４２】
その後、Ｗｅｂサーバ３０は、入金管理データベース４０ｂを参照して、不足フラグの立っているリスト被掲載者をピックアップし（ステップＳ１６０３：図１６）、ピックアップされたリスト被掲載者に関するレコードを掲載順位管理データベース４０ｄから消去する（又は不活性にする）ことで掲載順位の更新を行う（ステップＳ１６０４：図１６）。このようにして、図１７下段のテーブル４０ｄ３に示されるような掲載順位が決定される。決定された掲載順位は、次に更新がなされるまで掲載順位管理データベース４０ｄに保持され、更なるサイト訪問者からのＷｅｂページデータ取得要求（Ｓ９０1:図９）を受け付けた際に、Ｗｅｂページのデータ生成に利用される。
【００４３】
以上、本発明について具体的な例を掲げて説明してきたが、本発明は上述した実施の形態に限られるわけではない。例えば、上述した実施の形態においては、利用実績カウンタ５０のカウンタ値に変動が生じる度に図１６に示されるような掲載順位の計算を行っていたが、例えば、図１６に示される処理を実行するようなプログラムをＷｅｂサーバプログラムとは別途用意して、そのプログラムをＷｅｂサーバプログラムのバックグラウンドで動かすこととし、所定期間が経過する毎に又はカウントが所定回数行われる毎に、図１６に示されるような処理を行い掲載順位管理データベース４０ｄの内容を更新することとしても良い。
【００４４】
加えて、上述した実施の形態では、「メール」ボタン６１を押下した時点では利用実績カウンタ５０の「メール」用のカウンタ値をインクリメントしておらず、実際にメールフォームにおいて送信ボタンを押した時点で利用実績カウンタ５０の「メール」用のカウンタ値をインクリメントすることとしているが、「メール」ボタン６１を押下した時点で即時インクリメントすることとしても良い。また、上述した実施の形態では、問合せ方法として「電話」が選択された場合、対応する電話番号をサイト訪問者に表示するだけとしているが、phone toタグなどを埋め込むこととしても良いし、また表示する電話番号を代行サービスの電話番号とし、代行サービスを経由させることで、「電話」ボタン６２が単にクリックされただけではなく、実際に電話による問合せが行われたと確認した時点で「電話」用の利用実績カウンタ５０のカウンタ値をインクリメントすることとしても良い。更には、例示したフローチャートに含まれるステップの中には、順番を前後させても良いものも含まれており、それらについては説明の都合上順番を明記しただけであって、本発明を例示したものに限定する意図ではない。また、上述した実施の形態においては、デポジット式を採用し、各リスト被掲載者の指定したデポジット金額の残金によって問合せ先情報リストに当該リスト被掲載者の問合せ先情報が掲載されるか否かを決めることとしているが、本発明はこれに限定されるものではなく、例えば、与信状況に応じてリスト被掲載者毎に設定した金額を上限とし、その上限に達していないか達したかによって問合せ先情報リストに対する問合せ先情報の掲載／非掲載を決めることとしても良い。
【図面の簡単な説明】
【００４５】
【図１】本発明の実施の形態による問合せ先情報リスト提供システムを概略的に示す図である。
【図２】図１のＷｅｂサーバの構成を概略的に示すブロック図である。
【図３】図１の問合せ先情報管理データベースの構成を示す図である。
【図４】図３の問合せ先情報管理データベースへの登録処理を示すフローチャートである。
【図５】図１の入金管理データベースの構成を示す図である。
【図６】図５の入金管理データベースへの登録処理を示すフローチャートである。
【図７】図１の入札状況管理データベースの構成を示す図である。
【図８】図７の入札状況管理データベースへの登録処理を示すフローチャートである。
【図９】Ｗｅｂページデータ送信処理を示すフローチャートである。
【図１０】Ｗｅｂページのデータ生成に用いられるリストデータを示すテーブルである。
【図１１】問合せ先情報リストを含むＷｅｂページの例を示す図である。
【図１２】問合せ方法として「メール」が選択された場合の利用実績カウント処理を示すフローチャートである。
【図１３】利用実績カウンタの例を示すテーブルである。
【図１４】問合せ方法として「電話」が選択された場合の利用実績カウント処理を示すフローチャートである。
【図１５】問合せ方法として「Ｗｅｂ」が選択された場合の利用実績カウント処理を示すフローチャートである。
【図１６】利用実績カウント処理後に引き続き行われる掲載順位決定処理を示すフローチャートである。
【図１７】図１６のフローチャートに対応して変化する掲載順位管理データベースの構成を示す図である。
【符号の説明】
【００４６】
１０        サイト訪問者端末
２０ａ      リスト被掲載者Ａ端末
２０ｂ      リスト被掲載者Ｂ端末
２０ｃ      リスト被掲載者Ｃ端末
２０ｄ      リスト被掲載者Ｄ端末
３０        Ｗｅｂサーバ
３１        ＣＰＵ
３２        主記憶
３３        補助記憶
３４        送受信部
４０ａ      問合せ先情報管理データベース
４０ｂ      入金管理データベース
４０ｃ      入札状況管理データベース
４０ｄ      掲載順位管理データベース
５０        利用実績カウンタ
６１        「メール」ボタン
６２        「電話」ボタン
６３        「Ｗｅｂ」ボタン
１００        インターネット
【図１】
0005128320.tif 000002
【図２】
0005128320.tif 000003
【図３】
0005128320.tif 000004
【図４】
0005128320.tif 000005
【図５】
0005128320.tif 000006
【図６】
0005128320.tif 000007
【図７】
0005128320.tif 000008
【図８】
0005128320.tif 000009
【図９】
0005128320.tif 000010
【図１０】
0005128320.tif 000011
【図１１】
0005128320.tif 000012
【図１２】
0005128320.tif 000013
【図１３】
0005128320.tif 000014
【図１４】
0005128320.tif 000015
【図１５】
0005128320.tif 000016
【図１６】
0005128320.tif 000017
【図１７】
0005128320.tif 000018